(57)【要約】【課題】スケーラブル無損失オーディオ符号化／復号化装置及びその方法を提供する。【解決手段】スケーラブル無損失オーディオ符号化／復号化装置及びその方法によれば、損失符号化された損失ビットストリームと無損失符号化された無損失ビットストリームとを多重化して１つの出力ビットストリームとして生成して伝送し、前記出力ビットストリームから損失ビットストリームのみを復元した損失オーディオ信号または損失ビットストリーム及び無損失ビットストリームを全て復元して混合した無損失オーディオ信号を選択的に生成しうる。【選択図】　　　図２
2004004578.tif 000002
【特許請求の範囲】
【請求項１】
入力オーディオ信号を損失符号化して損失ビットストリームを生成する損失符号化部と、
前記損失ビットストリームを復号化し、この復号化された信号と前記入力オーディオ信号とを比較して、前記損失符号化した時に失われた損失信号を再生する損失信号再生部と、
前記損失信号を無損失符号化して無損失ビットストリームを生成する無損失符号化部と、
前記損失ビットストリームと前記無損失ビットストリームとを多重化して１つの出力ビットストリームを生成する多重化部と、
を備えることを特徴とするスケーラブル無損失オーディオ符号化装置。
【請求項２】
前記出力ビットストリームは、
前記損失ビットストリームのフレーム長を表す第１長さフィールドと、
前記損失ビットストリームが記録される第１データフィールドと、
前記無損失ビットストリームのフレーム長を表す第２長さフィールドと、
前記無損失ビットストリームが記録される第２データフィールドと、
を備えることを特徴とする請求項１に記載のスケーラブル無損失オーディオ符号化装置。
【請求項３】
前記損失符号化部は、ＢＳＡＣ符号化器であることを特徴とする請求項１に記載のスケーラブル無損失オーディオ符号化装置。
【請求項４】
前記損失信号再生部は、
前記損失ビットストリームを復号化して損失オーディオ信号を復元する損失復号化器と、
前記入力オーディオ信号と復元された前記損失オーディオ信号とを比較して両信号間の誤差を検出し、検出された結果を前記損失信号として出力する第１エラー生成器と、
を備えることを特徴とする請求項１に記載のスケーラブル無損失オーディオ符号化装置。
【請求項５】
前記損失復号化器は、ＢＳＡＣ復号化器であることを特徴とする請求項４に記載のスケーラブル無損失オーディオ符号化装置。
【請求項６】
前記無損失符号化部は、
現在入力されている前記損失信号から次に生成される損失信号を予測する予測器と、
前記損失信号と、前記予測器で予測された予測信号とを比較して、両信号間の誤差を検出し、検出された結果を誤差信号として出力する第２エラー生成器と、前記誤差信号を無損失符号化して前記無損失ビットストリームを生成する無損失符号化器と、
を備えることを特徴とする請求項１に記載のスケーラブル無損失オーディオ符号化装置。
【請求項７】
オーディオ信号が損失符号化された損失ビットストリームと、前記オーディオ信号が損失符号化されて失われた損失信号を無損失符号化した無損失ビットストリームと、が混合された混合ビットストリームから、前記オーディオ信号を復号化するスケーラブル無損失オーディオ復号化装置において、
前記混合ビットストリームから、前記損失ビットストリーム及び前記無損失ビットストリームを逆多重化して分離する逆多重化部と、
前記逆多重化部で分離された前記損失ビットストリームを復号化して損失オーディオ信号を復元する損失復号化部と、
前記逆多重化部で分離された前記無損失ビットストリームを復元して前記損失信号を復元する無損失復号化部と、
前記損失復号化部から復元された前記損失オーディオ信号と復元された前記損失信号とを加算して、無損失オーディオ信号を復元する第２信号生成部と、
を備えることを特徴とするスケーラブル無損失オーディオ復号化装置。
【請求項８】
前記損失復号化部は、ＢＳＡＣ復号化器であることを特徴とする請求項７に記載のスケーラブル無損失オーディオ復号化装置。
【請求項９】
前記無損失復号化部は、
前記逆多重化部から分離された前記無損失ビットストリームを復元して誤差信号を生成する無損失復号化器と、
前記無損失復号化部で復元された前記誤差信号から原信号を予測する予測器と、
予測された前記原信号に復元された前記誤差信号を加算して前記損失信号を生成する第１信号生成部と、
を備えることを特徴とする請求項７に記載のスケーラブル無損失オーディオ復号化装置。
【請求項１０】
（ａ）入力オーディオ信号を損失符号化して損失ビットストリームを生成する段階と、
（ｂ）前記損失ビットストリームを復号化し、復合化された信号と前記入力オーディオ信号とを比較して、前記損失符号化したときに失われた損失信号を再生する段階と、
（ｃ）前記損失信号を無損失符号化して無損失ビットストリームを生成する段階と、
（ｄ）前記損失ビットストリームと前記無損失ビットストリームとを多重化して１つの出力ビットストリームを生成する段階と、
を備えることを特徴とするスケーラブル無損失オーディオ符号化方法。
【請求項１１】
前記段階（ａ）における損失符号化は、ＢＳＡＣ符号化器を用いて符号化し、前記段階（ｂ）における損失ビットストリームの復号化は、ＢＳＡＣ復号化器を用いて復号化することを特徴とする請求項１０に記載のスケーラブル無損失オーディオ符号化方法。
【請求項１２】
請求項１０に記載のスケーラブル無損失オーディオ符号化方法をコンピュータにて実行可能なプログラムコードで記録した記録媒体。
【請求項１３】
オーディオ信号が損失符号化された損失ビットストリームと、前記オーディオ信号とが損失符号化されて失われた損失信号を無損失符号化した無損失ビットストリームと、が混合された混合ビットストリームから前記オーディオ信号を復号化するスケーラブル無損失オーディオ復号化装置において行われるスケーラブル無損失オーディオ復号化方法において、
（ｅ）前記混合ビットストリームから、前記損失ビットストリーム及び前記無損失ビットストリームを逆多重化して分離する段階と、
（ｆ）分離された前記損失ビットストリームを復号化して損失オーディオ信号を復元する段階と、
（ｇ）分離された前記無損失ビットストリームを復号化して前記損失信号を復元する段階と、
（ｈ）復元された前記損失オーディオ信号と、復元された前記損失信号とを加算して無損失オーディオ信号を復元する段階と、
を備えることを特徴とするスケーラブル無損失オーディオ復号化方法。
【請求項１４】
前記段階（ｆ）は、ＢＳＡＣ復号化器を用いて損失復号化することを特徴とする請求項１３に記載のスケーラブル無損失オーディオ符号化方法。
【請求項１５】
請求項１３に記載のスケーラブル無損失オーディオ復号化方法をコンピュータにて実行可能なプログラムコードで記録した記録媒体。
【発明の詳細な説明】
【０００１】
【発明の属する技術分野】
本発明は、オーディオ符号化／復号化システムに係り、特に、損失ビットストリームと無損失ビットストリームとの切り替え操作可能なスケーラブル無損失オーディオ符号化／復号化装置及びその方法に関する。
【０００２】
【従来の技術】
ＭＰ３技術が使用され始めてから、他の多くのＭＰＥＧ技術が全世界的に使われてきている。ほとんどのＭＰＥＧ技術において、元の信号に比べて非常に少ない情報量に圧縮されるが、損失圧縮は、多くの場合、データの損失を伴う。すなわち、符号化された情報の大きさは、大幅に減るが、原音と完全に同一ではない。しかし、インターネットの環境が、ナローバンドからワイドバンドに変わり、まもなく、無線、光通信など大容量の伝送線が構築されれば、よりクリアな音質のサービスを提供されたいという使用者の欲求が高まるであろう。このような傾向に対応して、ＭＰＥＧ標準化機構が無損失符号化側の標準化のための雰囲気を作っており、無損失符号化装置及び復号化装置の提供が要求されている。また、サービスの多様化のために損失符号化されたビットストリームまたは無損失符号化されたビットストリームを選択的に提供できるスケーラブル機能が要求される。
【０００３】
図１は、従来の無損失符号化装置の構成を模式的に示すブロック図である。図１に示すように、従来の無損失符号化装置は、予測器１００と、エラー生成部１１０と、無損失符号化部１２０とを備えて構成される。
【０００４】
予測器１００は、現在入力されている入力オーディオ信号（ＩＮＰＵＴ）から次に入力される入力オーディオ信号を予測し、予測された結果を予測信号として出力する。エラー生成部１１０は、入力オーディオ信号（ＩＮＰＵＴ）と予測器１００で予測された前記予測信号とを比較して、両信号間の誤差を検出し、検出された結果を誤差信号として出力する。無損失符号化部１２０は、エラー生成部１１０から出力される前記誤差信号を無損失符号化して無損失ビットストリームを生成する。
【０００５】
前記した構造の従来の無損失符号化装置は、スケーラブル機能を提供することができないという問題があった。スケーラブル機能を提供するためには、損失ビットストリームと無損失ビットストリームとを別々に生成して、分離された記憶空間に格納し、切り替え操作を通じて供給サービスする方法しかない。この場合、サーバー側記憶装置に２つのデータを同時に貯蔵しなければならないので、相対的に大容量の記憶空間が必要であり、コストが高くなるという問題もあった。
【０００６】
【発明が解決しようとする課題】
前記問題点を解決するために、本発明の第１の目的は、損失符号化されたビットストリームまたは無損失符号化されたビットストリームを選択的に提供できるスケーラブル機能を有する無損失オーディオ符号化／復号化装置を提供することである。
【０００７】
また、本発明の第２の目的は、損失符号化されたビットストリームまたは無損失符号化されたビットストリームを選択的に提供できるスケーラブル機能を有する無損失オーディオ符号化／復号化方法を提供することである。
【０００８】
【課題を解決するための手段】
（１）前記目的を解決するための本発明に係るスケーラブル無損失オーディオ符号化装置は、入力オーディオ信号を損失符号化して損失ビットストリームを生成する損失符号化部と、前記損失ビットストリームを復号化し、この復号化された信号と前記入力オーディオ信号とを比較して、前記損失符号化した時に失われた損失信号を再生する損失信号再生部と、前記損失信号を無損失符号化して無損失ビットストリームを生成する無損失符号化部と、前記損失ビットストリームと前記無損失ビットストリームとを多重化して１つの出力ビットストリームを生成する多重化部とを備えて構成される。
【０００９】
（２）本発明は、前記スケーラブル無損失オーディオ符号化装置において、前記出力ビットストリームが、前記損失ビットストリームのフレーム長を表す第１長さフィールドと、前記損失ビットストリームが記録される第１データフィールドと、前記無損失ビットストリームのフレーム長を表す第２長さフィールドと、前記無損失ビットストリームが記録される第２データフィールドとを備えて構成されることが望ましい。
【００１０】
（３）本発明は、前記スケーラブル無損失オーディオ符号化装置において、前記損失符号化部が、ＢＳＡＣ符号化器を備えて構成されることが望ましい。
【００１１】
（４）本発明は、前記スケーラブル無損失オーディオ符号化装置において、前記損失信号再生部が、前記損失ビットストリームを復号化して損失オーディオ信号を復元する損失復号化器と、前記入力オーディオ信号と復元された前記損失オーディオ信号とを比較して両信号間の誤差を検出し、検出された結果を前記損失信号として出力する第１エラー生成器とを備えて構成されることが望ましい。
【００１２】
（５）本発明は、前記スケーラブル無損失オーディオ符号化装置において、前記損失復号化器が、ＢＳＡＣ復号化器を備えて構成されることが望ましい。
【００１３】
（６）本発明は、前記スケーラブル無損失オーディオ符号化装置において、前記無損失符号化部が、現在入力されている前記損失信号から次に生成される損失信号を予測する予測器と、前記損失信号と、前記予測器で予測された予測信号とを比較して、両信号間の誤差を検出し、検出された結果を誤差信号として出力する第２エラー生成器と、前記誤差信号を無損失符号化して前記無損失ビットストリームを生成する無損失符号化器とを備えて構成されることが望ましい。
【００１４】
（７）前記目的を解決するための本発明に係るスケーラブル無損失オーディオ復号化装置は、オーディオ信号が損失符号化された損失ビットストリームと、前記オーディオ信号が損失符号化されて失われた損失信号を無損失符号化した無損失ビットストリームと、が混合された混合ビットストリームから、前記オーディオ信号を復号化するスケーラブル無損失オーディオ復号化装置において、前記混合ビットストリームから、前記損失ビットストリーム及び前記無損失ビットストリームを逆多重化して分離する逆多重化部と、前記逆多重化部で分離された前記損失ビットストリームを復号化して損失オーディオ信号を復元する損失復号化部と、前記逆多重化部で分離された前記無損失ビットストリームを復元して前記損失信号を復元する無損失復号化部と、前記損失復号化部から復元された前記損失オーディオ信号と復元された前記損失信号とを加算して、無損失オーディオ信号を復元する第２信号生成部とを備えて構成される。
【００１５】
（８）本発明は、前記スケーラブル無損失オーディオ復号化装置において、前記損失復号化部が、ＢＳＡＣ復号化器を備えて構成されることが望ましい。
【００１６】
（９）本発明は、前記スケーラブル無損失オーディオ復号化装置において、前記無損失復号化部が、前記逆多重化部から分離された前記無損失ビットストリームを復元して誤差信号を生成する無損失復号化器と、前記無損失復号化部で復元された前記誤差信号から原信号を予測する予測器と、予測された前記原信号に復元された前記誤差信号を加算して前記損失信号を生成する第１信号生成部とを備えて構成されることが望ましい。
【００１７】
（１０）前記目的を解決するための本発明に係るスケーラブル無損失オーディオ符号化方法は、（ａ）入力オーディオ信号を損失符号化して損失ビットストリームを生成する段階と、（ｂ）前記損失ビットストリームを復号化し、復合化された信号と前記入力オーディオ信号とを比較して、前記損失符号化したときに失われた損失信号を再生する段階と、（ｃ）前記損失信号を無損失符号化して無損失ビットストリームを生成する段階と、（ｄ）前記損失ビットストリームと前記無損失ビットストリームとを多重化して１つの出力ビットストリームを生成する段階とを備えて構成される。
【００１８】
（１１）本発明は、前記スケーラブル無損失オーディオ符号化方法において、前記段階（ａ）における損失符号化は、ＢＳＡＣ符号化器を用いて符号化し、前記段階（ｂ）における損失ビットストリームの復号化は、ＢＳＡＣ復号化器を用いて復号化する段階を備えて構成されることが望ましい。
【００１９】
（１２）前記目的を解決するための本発明に係る記録媒体は、前記スケーラブル無損失オーディオ符号化方法をコンピュータにて実行可能なプログラムコードで記録されて構成されることが望ましい。
【００２０】
（１３）前記目的を解決するための本発明に係るオーディオ信号が損失符号化されたスケーラブル無損失オーディオ復号化方法は、損失ビットストリームと、前記オーディオ信号とが損失符号化されて失われた損失信号を無損失符号化した無損失ビットストリームと、が混合された混合ビットストリームから前記オーディオ信号を復号化するスケーラブル無損失オーディオ復号化装置において行われるスケーラブル無損失オーディオ復号化方法において、（ｅ）前記混合ビットストリームから、前記損失ビットストリーム及び前記無損失ビットストリームを逆多重化して分離する段階と、（ｆ）分離された前記損失ビットストリームを復号化して損失オーディオ信号を復元する段階と、（ｇ）分離された前記無損失ビットストリームを復号化して前記損失信号を復元する段階と、（ｈ）復元された前記損失オーディオ信号と、復元された前記損失信号とを加算して無損失オーディオ信号を復元する段階とを備えて構成される。
【００２１】
（１４）本発明は、前記スケーラブル無損失オーディオ符号化方法において、前記段階（ｆ）が、ＢＳＡＣ復号化器を用いて損失復号化する段階を備えて構成されることが望ましい。
【００２２】
（１５）本発明は、前記記録媒体において、前記スケーラブル無損失オーディオ復号化方法をコンピュータにて実行可能なプログラムコードで記録されて構成されることが望ましい。
【００２３】
【発明の実施の形態】
以下、添付した図面に基づき、本発明に係るスケーラブル無損失オーディオ符号化／復号化装置の好ましい実施形態の各構成及び動作と、前記本発明に係るスケーラブル無損失オーディオ符号化／復号化装置で行われるスケーラブル無損失オーディオ符号化／復号化方法について詳細に説明する。
【００２４】
図２は、本発明に係る１実施形態のスケーラブル無損失オーディオ符号化装置の構成を模式的に示すブロック図である。図２に示すように、スケーラブル無損失オーディオ符号化装置は、損失符号化部２００と、損失信号再生部２１０と、無損失符号化部２２０と、混合部２３０とを備えて構成される。
【００２５】
図２に示すように、損失符号化部２００は、入力オーディオ信号（ＩＮＰＵＴ）を損失符号化して損失ビットストリームを生成する。このようにして、損失符号化が行われると、人の耳に影響を与えない一部のオーディオ信号が失われる。ここで、損失符号化部２００は、ＢＳＡＣ符号化器（ＢＳＡＣ：Ｂｉｔ　Ｓｌｉｃｅｄ　Ａｒｉｔｈｍｅｔｉｃ　Ｃｏｄｉｎｇ）で構成することが望ましい。
【００２６】
損失信号再生部２１０は、損失ビットストリームを復号化して復元した信号と、入力オーディオ信号ＩＮＰＵＴとを比較して、損失符号化部２００で損失符号化された時に失ったオーディオ信号を損失信号として再生する。
【００２７】
損失信号再生部２１０は、以下に説明するように、損失復号化器２１２及び第１エラー生成器２１４を備えて構成することが望ましい。
【００２８】
損失復号化器２１２は、損失符号化部２００から出力される損失ビットストリームを復号化して損失オーディオ信号として復元する。しかし、前記したように、損失符号化部２００で損失符号化過程を経る時、一部のオーディオ信号が失われる。したがって、損失復号化器２１２では、一部のオーディオ信号が失われた損失オーディオ信号として復元されることになる。ここで、損失符号化部２００がＢＳＡＣ符号化器であれば、損失復号化器２１２は、ＢＳＡＣ復号化器であることが望ましい。
【００２９】
また、第１エラー生成器２１４は、入力オーディオ信号ＩＮＰＵＴと、損失復号化部２１２で復元された損失オーディオ信号とを比較して、両信号間の誤差を検出し、検出された結果を損失信号として出力する。
【００３０】
一方、無損失符号化部２２０は、損失信号再生部２１０から入力された損失信号を無損失符号化して無損失ビットストリームとして生成する。ここで、無損失符号化部２２０は、予測器２２２、第２エラー生成器２２４及び無損失符号化器２２６を備えて構成することが望ましい。
【００３１】
図３Ａ、図３Ｂ及び図３Ｃは、図２に示す本発明に係る１実施形態のスケーラブル無損失オーディオ符号化装置で生成される主要信号の波形を示す図面である。図３Ａは、入力オーディオ信号（ＩＮＰＵＴ）の波形を、図３Ｂは、第１エラー生成器２１４から生成される損失信号の波形を、図３Ｃは、第２エラー生成器２２４から生成された誤差信号の波形を、各々示す。
【００３２】
予測器２２２は、損失信号生成部２１０から入力される現在の損失信号から次に発生する損失信号を予測する。これは、損失信号に存在するサンプル間の冗長性を除去することによって、符号化するデータの量を減らすためである。第１エラー生成器２１４で生成された損失信号（図３Ｂ参照）は、入力オーディオ信号（ＩＮＰＵＴ、図３Ａ参照）と、損失符号化器２００で量子化されたオーディオ信号との差であるため、全体的な平方自乗平均ＲＭＳ値（ＲＭＳ：Ｒｏｏｔ　Ｍｅａｎ　Ｓｑｕａｒｅ）は、もとの前記オーディオ信号に比べて低い値を有する。
【００３３】
しかし、損失符号化部２００で周波数帯別に同一に量子化したものではないため、相変らず時間的冗長性が存在する。したがって、最終的な信号は、時間的冗長性をさらに減らすために時間軸での予測によりラプラス分布になるように制御される。予測方法としては、自己回帰方法や移動平均方法を用いられる。また、単純に低次数固定の予測係数だけでも予測可能である。したがって、予測係数に対する付帯事項を考慮して自己回帰方法、移動平均方法、単純多項式予測法、及び他の任意の予測方法のうちのいずれか１つの方法を用いて、最小のビットを求める予測器を選択すればよい。
【００３４】
第２エラー生成器２２４は、損失信号と予測器で予測された予測信号とを比較して、両信号間の誤差を検出し、検出された結果を誤差信号（図３Ｃ参照）として出力する。つまり、図３Ｃに示すように、第２エラー生成器２２４で生成された誤差信号は、第１エラー生成器２１４で生成された損失信号（図３Ｂ参照）の時間的冗長性を最小化してＲＭＳ値を最小化することによって、後記する無損失符号化器２２６で符号化されるデータ量を最小化できる。
【００３５】
無損失符号化器２２６は、第２エラー生成部２２４から出力される誤差信号を無損失符号化して、前記無損失ビットストリームとして生成する。
【００３６】
引続き、多重化部２３０は、損失符号化部２００から出力される損失ビットストリームと無損失符号化部２２０で出力される無損失ビットストリームとを多重化して、１つの出力ビットストリームを生成する。
【００３７】
図４は、図２に示す本発明に係る１実施形態のスケーラブル無損失オーディオ符号化装置の多重化部２３０から出力されるビットストリームの構造を説明するための図面である。
【００３８】
図４に示すように、出力ビットストリームは、損失ビットストリームのフレーム長を表す第１長さフィールド５００、損失ビットストリームが記録される第１データフィールド５０１、無損失ビットストリームのフレーム長を示す第２長さフィールド５０２及び無損失ビットストリームが記録される第２データフィールド５０３を備えて構成される。
【００３９】
つまり、図２に示す本発明に係るスケーラブル無損失オーディオ符号化装置は、損失符号化された基本階層と、無損失符号化された高位階層とを１つのビットストリームとして生成して、それを伝送することができる。
【００４０】
図５は、図２に示す本発明に係る１実施形態のスケーラブル無損失オーディオ符号化装置で符号化されて出力されるオーディオビットストリームを復号化するためのスケーラブル無損失オーディオ復号化装置の１実施例を模式的に示すブロック図である。図５に示すように、前記スケーラブル無損失オーディオ復号化装置は、逆多重化部３００、無損失復号化部３１０、損失復号化部３２０及び第２信号生成部３３０を備えて構成される。
【００４１】
図５に示すように、逆多重化部３００は、図２に示す装置で出力される出力ビットストリームを入力ビットストリームとして入力し、入力ビットストリームから損失ビットストリーム及び無損失ビットストリームを分離する。そして、逆多重化部３００は，図３に示す構造のビットストリームを入力して、損失ビットストリームのフレーム長を表す第１長さフィールド５００を解釈して、損失ビットストリームが記録されている第１データフィールド５０１を分離し、さらに、無損失ビットストリームのフレーム長を表す第２長さフィールド５０２を解釈して、無損失ビットストリームが記録されている第２データフィールド５０３を分離する。
【００４２】
損失復号化部３２０は，逆多重化部３００から分離された損失ビットストリームを復号化して損失オーディオ信号を復元する。しかし、前述したように、損失符号化部２００で損失符号化過程を経る時、一部オーディオ信号が損失される。したがって、損失復号化部３２０では、一部のオーディオ信号が損失された損失オーディオ信号が復元される。ここで、損失符号化部２００がＢＳＡＣ符号化器であれば、損失復号化部３２０は、ＢＳＡＣ復号化器であることが望ましい。
【００４３】
無損失復号化部３１０は、逆多重化部３００で分離された無損失ビットストリームを復号化し、図２に示す無損失符号化部２２０ですでに符号化されている損失信号を復元する。無損失復号化部３１０は、無損失符号化部２２０でのプロセスを逆に行うことによって損失信号を復元できる。無損失復号化部３１０は、無損失復号化器３１２、予測器３１４及び第１信号生成器３１６を備えて構成されることが望ましい。
【００４４】
無損失復号化器３１２は、逆多重化部３００から分離された無損失ビットストリームを復元して、図２に示す第２エラー生成器２２４から出力される誤差信号を復元する。
【００４５】
予測器３１４は、無損失復号化器３１２で復元された誤差信号から原信号を予測する。
【００４６】
第１信号生成器３１６は、予測器３１４で予測された信号に無損失復号化器３１２で復元された誤差信号を加算して損失信号を復元する。
【００４７】
引続き、第２信号生成部３３０は、損失復号化部３２０で復元された損失オーディオ信号と、無損失復号化部３１０で復元された前記損失信号とを加算して無損失オーディオ信号を復元する。すなわち、復元されたオーディオ信号は、入力オーディオ信号（ＩＮＰＵＴ）が損失符号化されつつ一部のオーディオ信号が損失された信号であり、無損失復号化部３１０で復元された前記損失信号は、損失復号化時に損失されたオーディオ信号である。結局、第２信号生成部３３０は、前記損失信号を、損失復号化部３１０で復元された損失オーディオ信号に加算することによって、入力オーディオ信号（ＩＮＰＵＴ）を復元できる。
【００４８】
一方、第２信号生成部３３０は、外部制御によって、損失復号化部３２０で復元されたオーディオ信号だけ選択的に出力するか、または復元されたオーディオ信号に復元された損失信号を加算した無損失オーディオ信号を出力できる。例えば、オーディオサービスを提供するサービス・プロバイダは、本発明に係るスケーラブル無損失復号化装置を用いて、選択的に使用者によって異なるオーディオサービスを提供できる。例えば、ナローバンド・ネットワークを用いる使用者または無料利用者には、損失復号化部３２０で復元された損失オーディオ信号のみを再生させ、一方、ブロードバンド・ネットワークを利用する使用者または有料利用者には、無損失オーディオ信号を再生させるようにすることができる。
【００４９】
また、本発明は、コンピュータにて読取可能な記録媒体にコンピュータにて読取可能なコードとして具現できる。コンピュータにて読取可能な記録媒体は、コンピュータシステムによって読取可能なデータが貯蔵される全ての種類の記録装置を含む。コンピュータにて読取可能な記録媒体の例としては、ＲＯＭ、ＲＡＭ、ＣＤ−ＲＯＭ、磁気テープ、フロッピーディスク、光データ貯蔵装置などがあり、また搬送波（例えば、インターネットを通じた伝送）の形に具現されることも含む。またコンピュータにて読取可能な記録媒体は、ネットワークで連結されたコンピュータシステムに分散され、その分散方式によってコンピュータにて読取可能なコードが貯蔵及び実行される。
【００５０】
【発明の効果】
以上説明した通りに構成される本発明によれば、以下の効果を奏する。すなわち、本発明に係るスケーラブル無損失オーディオ符号化／復号化装置及びその方法によれば、損失符号化された損失ビットストリームと無損失符号化された無損失ビットストリームとを多重化して１つの出力ビットストリームとして生成して伝送し、前記出力ビットストリームから損失ビットストリームのみを復元した損失オーディオ信号または損失ビットストリーム及び無損失ビットストリームを全て復元して混合した無損失オーディオ信号を選択的に生成できる。
【００５１】
なお、本発明に係るスケーラブル無損失オーディオ符号化／復号化装置及びその方法は、図面を参照しながら、本発明に係る望ましい実施形態を参考として説明されたが、この実施形態は、単なる例示的なものに過ぎず、当該分野において通常の知識を有する者であれば、本発明の技術的思想に基づいて、この実施形態より各種の変形及びこれと均等な実施形態を創作することが可能なことは言うまでもない。よって、本発明の真の技術的な保護範囲は、本明細書の特許請求範囲によって定まるべきである。
【図面の簡単な説明】
【図１】従来の無損失符号化装置の構成を模式的に示すブロック図である。
【図２】本発明に係る１実施形態のスケーラブル無損失オーディオ符号化装置の構成を模式的に示すブロック図である。
【図３Ａ】図２に示す本発明に係る１実施形態のスケーラブル無損失オーディオ符号化装置で生成される入力オーディオ信号（ＩＮＰＵＴ）の波形を示す図である。
【図３Ｂ】図２に示すスケーラブル無損失オーディオ符号化装置で生成される損失信号の波形を示す図である。
【図３Ｃ】図２に示す本発明本発明に係る１実施形態のスケーラブル無損失オーディオ符号化装置で生成される誤差信号の波形を示す図である。
【図４】図２に示す本発明に係る１実施形態のスケーラブル無損失オーディオ符号化装置の多重化部から出力されるビットストリームの構造を説明するための図面である。
【図５】図２に示す本発明に係る１実施形態のスケーラブル無損失オーディオ符号化装置で符号化されて出力されるオーディオビットストリームを復号化するためのスケーラブル無損失オーディオ復号化装置の１実施例を模式的に示すブロック図である。
【符号の説明】
２００　　　　損失符号化部
２１０　　　　損失信号再生部
２２０　　　　無損失符号化部
２３０　　　　多重化部
【図１】
2004004578.tif 000003
【図２】
2004004578.tif 000004
【図３Ａ】
2004004578.tif 000005
【図３Ｂ】
2004004578.tif 000006
【図３Ｃ】
2004004578.tif 000007
【図４】
2004004578.tif 000008
【図５】
2004004578.tif 000009